(57)【要約】【課題】  天井材に対する取り付けを確実に行うことで耐震性を高めることができる天井補強具を提供する。【解決手段】  互いに交差する野縁１２１および野縁受け１２４を備えて構造物に吊下支持される天井材１２０を補強する天井補強具１であって、構造物の躯体１１０に取り付けられる複数の構造物側取付部材１０と、天井材１２０に取り付けられる天井側取付部材２０と、各構造物側取付部材１０を天井側取付部材２０に連結する複数の連結部材３０とを備え、天井側取付部材２０は、天井材１２０の野縁１２１に野縁受け１２４を挟んで両側に取り付けられる一対の分割体２１，２２を備えており、一対の分割体２１，２２は、それぞれ連結部材３０を回動自在に支持する主回動軸２１ｃ，２２ｃと、野縁受け１２４の上部に係合する係合片２１ｈ，２２ｈとを備える。【選択図】  図１
2016104942.tif 000002
【特許請求の範囲】
【請求項１】
互いに交差する野縁および野縁受けを備えて構造物に吊下支持される天井材を補強する天井補強具であって、
構造物の躯体に取り付けられる複数の構造物側取付部材と、
天井材に取り付けられる天井側取付部材と、
前記各構造物側取付部材を天井側取付部材に連結する複数の連結部材とを備え、
前記天井側取付部材は、天井材の野縁に野縁受けを挟んで両側に取り付けられる一対の分割体を備えており、
一対の前記分割体は、それぞれ前記連結部材を回動自在に支持する主回動軸と、前記野縁受けの上部に係合する係合片とを備える天井補強具。
【請求項２】
一対の前記分割体は、野縁に取り付けられた状態で、前記主回動軸が互いに平行に配置され、
前記連結部材は、前記主回動軸の回動方向とは異なる方向に回動する副回動軸を介して、前記主回動軸に支持される請求項１に記載の天井補強具。
【請求項３】
互いに交差する野縁および野縁受けを備えて構造物に吊下支持される天井材を、請求項１または２に記載の天井補強具を用いて補強する方法であって、
前記天井側取付部材を天井材に取り付ける天井側取付ステップと、
複数の前記構造物側取付部材をそれぞれ構造物の躯体に取り付ける構造物側取付ステップとを備え、
前記天井側取付ステップは、一対の前記分割体を、前記係合片が互いに重なり合うように前記野縁受けに係合させて、前記野縁に取り付ける天井材の補強方法。
【発明の詳細な説明】
【技術分野】
【０００１】
本発明は、天井補強具および天井材の補強方法に関する。
【背景技術】
【０００２】
工場、ビル、体育館などの構造物に吊下支持される天井材を補強する天井補強具として、例えば特許文献１に開示された構成が知られている。図５に示すように、この天井補強具２００は、構造物の躯体２１０に取り付けられる複数の構造物側取付部材２２０（図５では１つのみを示す）と、天井材２３０の支持部材２３２に取り付けられる天井側取付部材２４０と、各構造物側取付部材２２０を天井側取付部材２４０に連結する複数の連結部材２５０とを備えている。各構造物側取付部材２２０および天井側取付部材２４０は、連結部材２５０を回動自在に支持する主回動軸２２４，２４４をそれぞれ備えており、天井側取付部材２４０の主回動軸２４４は、互いに平行になるように複数配置されて、それぞれに連結部材２５０が副回動軸を介して支持されている。この副回動軸は、天井側取付部材２４０の主回動軸２４４の回動方向とは異なる方向に連結部材２５０を回動自在に支持する。
【先行技術文献】
【特許文献】
【０００３】
【特許文献１】特許第５６１０５５９号公報
【発明の概要】
【発明が解決しようとする課題】
【０００４】
上記の構成を備える天井補強具２００は、天井側取付部材２４０が主回動軸および副回動軸を備えることにより、躯体２１０に対する各構造物側取付部材２２０の取付作業が容易になると共に、耐震性を向上することができる。
【０００５】
ところが、想定を超える非常に強い揺れが発生すると、天井側取付部材２４０を支持する支持部材２３２が変形する等して、支持部材２３２から天井側取付部材２４０が外れるおそれがあり、この点において更に改良の余地があった。
【０００６】
そこで、本発明は、天井材に対する取り付けを確実に行うことで耐震性を高めることができる天井補強具および天井材の補強方法の提供を目的とする。
【課題を解決するための手段】
【０００７】
本発明の前記目的は、互いに交差する野縁および野縁受けを備えて構造物に吊下支持される天井材を補強する天井補強具であって、構造物の躯体に取り付けられる複数の構造物側取付部材と、天井材に取り付けられる天井側取付部材と、前記各構造物側取付部材を天井側取付部材に連結する複数の連結部材とを備え、前記天井側取付部材は、天井材の野縁に野縁受けを挟んで両側に取り付けられる一対の分割体を備えており、一対の前記分割体は、それぞれ前記連結部材を回動自在に支持する主回動軸と、前記野縁受けの上部に係合する係合片とを備える天井補強具により達成される。
【０００８】
この天井補強具において、一対の前記分割体は、野縁に取り付けられた状態で、前記主回動軸が互いに平行に配置されることが好ましく、前記連結部材は、前記主回動軸の回動方向とは異なる方向に回動する副回動軸を介して、前記主回動軸に支持されることが好ましい。
【０００９】
また、本発明の前記目的は、互いに交差する野縁および野縁受けを備えて構造物に吊下支持される天井材を、上記の天井補強具を用いて補強する方法であって、前記天井側取付部材を天井材に取り付ける天井側取付ステップと、複数の前記構造物側取付部材をそれぞれ構造物の躯体に取り付ける構造物側取付ステップとを備え、前記天井側取付ステップは、一対の前記分割体を、前記係合片が互いに重なり合うように前記野縁受けに係合させて、前記野縁に取り付ける天井材の補強方法により達成される。
【発明の効果】
【００１０】
本発明によれば、天井材に対する取り付けを確実に行うことで耐震性を高めることができる天井補強具および天井材の補強方法を提供することができる。
【図面の簡単な説明】
【００１１】
【図１】本発明の一実施形態に係る天井補強具の全体構成図である。
【図２】図１に示す天井補強具の要部を示す平面図である。
【図３】図１に示す天井補強具の他の要部を示す側面図である。
【図４】図１に示す天井補強具の施工例を示す斜視図である。
【図５】従来の天井補強具の全体構成図である。
【発明を実施するための形態】
【００１２】
以下、本発明の実施の形態について、添付図面を参照して説明する。図１は、本発明の一実施形態に係る天井補強具の全体構成図である。図１に示すように、天井補強具１は、鋼材等からなり、構造物側取付部材１０、天井側取付部材２０および連結部材３０を備えている。本実施形態の天井補強具１は、後述するように、工場、ビル、体育館などの構造物に構造物側取付部材１０を取り付け、天井材に天井側取付部材２０を取り付けることにより、吊り下げ支持される天井材を補強することができる。
【００１３】
図２は、図１に示す構造物側取付部材１０の平面図である。図１および図２に示すように、構造物側取付部材１０は、ブロック状の本体１１の中央に挿入部材１２が取り付けられており、本体１１は、一対の挟持部材１４，１５の間に配置されている。本体１１は、主回動軸１３により一対の挟持部材１４，１５に回動自在に支持されている。挿入部材１２は、基端側の脚部１２ａ，１２ａの間に本体１１を挟持して、結合ピンからなる副回動軸１６により、主回動軸１３の回動面と直交する平面に沿って（すなわち、図１の矢示Ａ方向に）回動自在に支持されている。
【００１４】
一対の挟持部材１４，１５は、板状体を折り曲げて形成されており、切欠状の保持部１４ａ，１５ａが、本体１１を挟んで対向するように配置されている。保持部１４ａ，１５ａは、構造物の躯体１１０に装着可能とされており、本実施形態においては、主架構を構成するように構造物の上部に水平に配置されたＨ形鋼の下部に、保持部１４ａ，１５ａを係合可能とされている。一対の挟持部材１４，１５は、主回動軸１３と平行に延びるボルト１４ｂをナット１５ｂに締結することにより結合されており、ボルト１４ｂの締め込みにより、一対の保持部１４ａ，１５ａの間に躯体１１０を挟持すると共に、主回動軸１３の回転抵抗を抑制してスムーズな回動を可能にしている。保持部１４ａ，１５ａは、構造物側取付部材１０を取り付ける躯体１１０の形状に合わせて適宜形成すればよく、その形状は特に限定されるものではない。構造物側取付部材１０の取付箇所は、梁やスラブ等の躯体の水平部だけでなく、柱や壁などの躯体の垂直部や、躯体の傾斜部であってもよい。
【００１５】
図３は、図１に示す天井側取付部材２０の側面図である。図１および図３に示すように、天井側取付部材２０は、一対の分割体２１，２２を備えており、図３は、一方の分割体２１側を示している。一方の分割体２１は、板状部材の幅方向両側を対向するように折り曲げて形成された支持体２１ａの対向面の間に、２つのブロック状の本体２１ｂが間隔をあけて支持されている。本体２１ｂは、結合ピンからなる主回動軸２１ｃにより、図１の矢示Ｂ方向に回動自在に支持されており、本体２１ｂの軸方向中央に挿入部材２１ｄが取り付けられている。挿入部材２１ｄは、基端側の２つの脚部２１ｅの間に本体２１ｂを挟持して、結合ピンからなる副回動軸２１ｆにより、図３の矢示Ｃ方向に回動自在に支持されている。支持体２１ａの下面には、蓋状の装着部材２１ｇが溶接等により固定されている。また、支持体２１ａの一方端部には、支持体２１ａよりも幅広に形成された係合片２１ｈが起立状態で固定されている。係合片２１ｈは、上端部２１ｉが外方に向けて略直角に折り曲げられている。
【００１６】
天井材１２０は、板材やメッシュ材等からなり、野縁１２１に支持されている。野縁１２１の上部には、野縁１２１と直交する野縁受け１２４が配置されている。一方の分割体２１は、係合片２１ｈの上端部２１ｉを野縁受け１２４に係合させた状態で、野縁１２１の幅方向両側縁部を装着部材２１ｇと当て板１２２との間に挟持し、ボルト等の締結具１２３を用いて野縁１２１に固定することができる。締結具１２３の数は特に限定されないが、本実施形態においては支持体２１ａの底部における４か所に締結具１２３が取り付けられている。
【００１７】
他方の分割体２２は、一方の分割体２１と同様の構成を備えており、係合片２２ｈの上端部２２ｉを野縁受け１２４に係合させた状態で、野縁１２１に対して野縁受け１２４を挟んで一方の分割体２１と反対側に固定されている。他方の分割体２２の係合片２２ｈは、一方の分割体２１の係合片２１ｈよりも若干高くなるように形成されており、他方の係合片２２ｈの上端部２２ｉが、一方の係合片２１ｈの上端部２１ｉを介して野縁受け１２４に係合する。他方の分割体２２も、後述する連結部材３０を異なる方向に回動させる主回動軸２２ｃおよび副回動軸を備えており、一対の分割体２１，２２を野縁１２１に取り付けた状態で、各主回動軸２１ｃ，２２ｃが互いに平行に配置される。
【００１８】
図１に示すように、連結部材３０は棒状の部材であり、主パイプ３１および副パイプ３２を備えている。主パイプ３１は、両端部にスリット３１ａ，３１ｂが周方向に間隔をあけて複数（本実施形態では４つ）形成されており、内径を拡開させることができる。主パイプ３１は、一方端に構造物側取付部材１０の挿入部材１２が、他方端に副パイプ３２の一方端部がそれぞれ挿入され、セットカラー等のクランプ３３，３４により固定される。連結部材３０は、主パイプ３１に対する副パイプ３２の挿入長さを適宜調節することにより伸縮させることができ、主パイプ３１の内周面と副パイプ３２の外周面との間に作用する摩擦力によって全体長さを維持することができる。主パイプ３１および副パイプ３２の材質は特に限定されず、鋼管等であってもよいが、シームレスのアルミ管を好ましく用いることができる。
【００１９】
副パイプ３２の他方端部には、主パイプ３１と同様に複数のスリット３２ａが形成されており、図３に示すように、天井側取付部材２０の挿入部材２１ｄ，２２ｄが挿入されて、クランプ３５により固定される。図１においては、１つの連結部材３０のみを示し、他の連結部材３０の図示を一部省略しているが、他の連結部材３０についても上記と同様の構成であり、不図示の構造物側取付部材１０に連結されている。
【００２０】
上記の構成を備える天井補強具１は、例えば、鉄骨造体育館などの構造物における吊り天井の補強用として好適に使用することができる。図４は、天井補強具１の施工例を示す斜視図である。図４に示す天井材１２０は、複数並列された野縁１２１に固定されて支持されており、これら野縁１２１は、直交するように複数並列された野縁受け１２４にクリップ１２５で取り付けられている。野縁受け１２４は、スラブや梁などの構造物の躯体（図示せず）から垂下する吊りボルト１２６に、ハンガー１２７を介して支持されている。
【００２１】
天井補強具１は、天井材１２０の野縁１２１に天井側取付部材２０を、構造物の躯体（図示せず）の４か所に構造物側取付部材１０をそれぞれ固定し、各連結部材３０がトラスを構成するように長さ調整して、各連結部材３０の両端部を構造物側取付部材１０および天井側取付部材２０に装着することにより、取り付けることができる。野縁１２１に対する天井側取付部材２０の取り付けは、上述したように、一対の分割体２１，２２を、それぞれの係合片２１ｈ，２２ｈが野縁受け１２４に係合した状態で、野縁受け１２４を挟んで両側に配置して行う。
【００２２】
このように、天井側取付部材２０が、一対の分割体２１，２２を備えることにより、各分割体２１，２２の野縁１２１に沿う方向の長さを短くできると共に、野縁１２１および野縁受け１２４の双方に各分割体２１，２２を固定することができる。したがって、非常に大きな地震等による揺れが発生した場合でも、天井材１２０に対する天井側取付部材２０の取り付け状態を良好に維持することができ、耐震性を高めることができる。各係合片２１ｈ，２２ｈと野縁受け１２４とは、本実施形態のように、一方の係合片２１ｈの上端部２１ｉに他方の係合片２２ｈの上端部２２ｉが重なるように係合させることが好ましいが、各係合片２１ｈ，２２ｈ同士を、互いに干渉することなく個別に野縁受け１２４と係合させてもよい。
【００２３】
連結部材３０は、構造物側取付部材１０および天井側取付部材２０において、それぞれ主回動軸１３，２１ｃにより回動自在に支持されると共に、天井側取付部材２０において、副回動軸２１ｆにより主回動軸２１ｃとは異なる方向に回動自在に支持されているため、躯体に対する構造物側取付部材１０の取付け自由度を高めることができ、取付作業を容易にすることができる。
【００２４】
天井側取付部材２０が備える主回動軸２１ｃおよび副回動軸２１ｆは、本実施形態のように互いに直交することが好ましく、これによって、施工性や耐震性の向上が図られるだけでなく、地震等において連結部材３０から大きな力（特に引張力）を受けた場合の強度を良好に維持することができる。天井側取付部材２０の主回動軸２１ｃおよび副回動軸２１ｆは必ずしも直交する必要はなく、互いに異なる方向であればよい。また、本実施形態においては、主回動軸２１ｃおよび副回動軸２１ｆの軸線同士が互いに交差するように配置されているが、平面視において交差するように配置されていればよく、主回動軸２１ｃおよび副回動軸２１ｆが取付状態において異なる高さ位置に配置されていてもよい。
【００２５】
以上、本発明の一実施形態について詳述したが、本発明の具体的な態様は上記実施形態に限定されない。例えば、本実施形態においては、１つの天井側取付部材２０に対して、４つの構造物側取付部材１０がそれぞれ連結部材３０を介して連結されているが、構造物側取付部材１０の数は、連結部材３０がトラスを構成するように配置可能であればよく、特に限定されるものではない。天井側取付部材２０に対する連結部材３０の連結は、一対の分割体２１，２２のそれぞれに対して１または複数を取り付けて、行うことができる。
【符号の説明】
【００２６】
１  天井補強具
１０  構造物側取付部材
２０  天井側取付部材
２１，２２  分割体
２１ｃ，２２ｃ  主回動軸
２１ｈ，２２ｈ  係合片
３０  連結部材
１１０  躯体
１２０  天井材
１２１  野縁
１２４  野縁受け
【図１】
2016104942.tif 000003
【図２】
2016104942.tif 000004
【図３】
2016104942.tif 000005
【図４】
2016104942.tif 000006
【図５】
2016104942.tif 000007